(57)【特許請求の範囲】
【請求項１】
複数の鍵、前記鍵に対応して設けられた弦、および前記鍵の操作により当該鍵に対応する弦を打撃するハンマを有するピアノに用いられる音響効果付与装置であって、
前記ハンマによる前記弦への打撃を検出する検出手段と、
前記検出手段による検出結果に基づいて、前記打撃された弦の基本周波数に対応する周波数の正弦波信号を出力する信号出力手段と、
前記出力された正弦波信号を前記弦に伝達する信号伝達手段と、
前記信号出力手段から出力される正弦波信号の振幅を決定するための振幅調整値を、前記弦ごとに設定する設定手段と
を具備し、
前記信号出力手段は、前記設定手段によって設定された振幅調整値に基づいて前記正弦波信号の振幅を制御する
ことを特徴とする音響効果付与装置。
【請求項２】
前記設定手段は、
ユーザの操作を受け付ける操作手段を有し、
前記受け付けられた操作に応じて前記振幅調整値を設定する
ことを特徴とする請求項１に記載の音響効果付与装置。
【請求項３】
前記設定手段は、
前記弦の振動を検出する振動検出手段を有し、
前記弦に対応する測定信号を前記信号伝達手段により当該弦に伝達させ、
前記振動検出手段によって検出された当該弦の振動の態様に基づいて当該弦ごとの前記振幅調整値を設定する
ことを特徴とする請求項１または請求項２に記載の音響効果付与装置。
【請求項４】
前記測定信号は、前記信号出力手段によって出力される正弦波信号であり、
前記設定手段は、前記測定信号の振幅と前記弦の振動の振幅との関係に基づいて、前記振幅調整値を設定する
ことを特徴とする請求項３に記載の音響効果付与装置。
【請求項５】
複数の鍵と、
前記鍵に対応して設けられた弦と、
前記鍵の操作により当該鍵に対応する弦を打撃するハンマと、
前記ハンマによる前記弦への打撃を検出する検出手段と、
前記検出手段による検出結果に基づいて、前記打撃された弦の基本周波数に対応する周波数の正弦波信号を出力する信号出力手段と、
前記出力された正弦波信号を前記弦に伝達する信号伝達手段と、
前記信号出力手段から出力される正弦波信号の振幅を決定するための振幅調整値を、前記弦ごとに設定する設定手段と
を具備し、
前記信号出力手段は、前記設定手段によって設定された振幅調整値に基づいて前記正弦波信号の振幅を制御する
ことを特徴とするピアノ。
【発明の詳細な説明】
【技術分野】
【０００１】
本発明は、アコースティックピアノの音を変化させる技術に関する。
【背景技術】
【０００２】
アコースティックピアノにおいて、演奏により発生する音を変化させる技術が開発されている。例えば、鍵の挙動に応じて楽器音などのオーディオ信号を出力する電子音源を用いる技術がある。この場合には、アコースティックピアノからの音とともに、またはこの音が発生しない消音状態で、電子音源からの楽器音などが発音される。このように電子音源からの音を用いると、アコースティックピアノの発音による自然な感じが再現されないことがあった。そこで、自然なピアノ音を維持しつつ音響効果を付与するために、アコースティックピアノが発音するときの振動信号をリアルタイムに抽出し、音響効果を付与する演算処理を施して響板駆動信号を生成して響板を振動させる技術も開発されている（例えば、特許文献１）。
【先行技術文献】
【特許文献】
【０００３】
【特許文献１】特開平５−７３０３９号公報
【発明の概要】
【発明が解決しようとする課題】
【０００４】
特許文献１に開示された技術によっては、響板をスピーカとして用いて響板駆動信号を出力することにより、音響効果を付与することができる一方、様々な周波数成分が含まれた響板駆動信号による響板の振動が、ハンマの打弦により振動している弦に到達する場合がある。この場合には、双方の振動の関係によっては意図しない発音内容に変化することがあり、音響効果が付与されたピアノ音については、アコースティックピアノの自然な感じが少なくなってしまう場合もあった。
本発明は、アコースティックピアノの自然な感じを残しつつ、その発音に音響効果を付与することを目的とする。
【課題を解決するための手段】
【０００５】
上述の課題を解決するため、本発明は、複数の鍵、前記鍵に対応して設けられた弦、および前記鍵の操作により当該鍵に対応する弦を打撃するハンマを有するピアノに用いられる音響効果付与装置であって、前記ハンマによる前記弦への打撃を検出する検出手段と、前記検出手段による検出結果に基づいて、前記打撃された弦の基本周波数に対応する周波数の正弦波信号を出力する信号出力手段と、前記出力された正弦波信号を前記弦に伝達する信号伝達手段と、前記信号出力手段から出力される正弦波信号の振幅を決定するための振幅調整値を、前記弦ごとに設定する設定手段とを具備し、前記信号出力手段は、前記設定手段によって設定された振幅調整値に基づいて前記正弦波信号の振幅を制御することを特徴とする音響効果付与装置を提供する。
【０００６】
また、別の好ましい態様において、前記設定手段は、ユーザの操作を受け付ける操作手段を有し、前記受け付けられた操作に応じて前記振幅調整値を設定することを特徴とする。
【０００７】
また、別の好ましい態様において、前記設定手段は、前記弦の振動を検出する振動検出手段を有し、前記弦に対応する測定信号を前記信号伝達手段により当該弦に伝達させ、振動検出手段によって当該測定信号により生じる当該弦の振動を検出し、当該弦の振動の態様に基づいて当該弦ごとの前記振幅調整値を設定することを特徴とする。
【０００８】
また、別の好ましい態様において、前記測定信号は、前記信号出力手段によって出力される正弦波信号であり、前記設定手段は、前記測定信号の振幅と前記弦の振動の振幅との関係に基づいて、前記振幅調整値を設定することを特徴とする。
【０００９】
また、本発明は、複数の鍵と、前記鍵に対応して設けられた弦と、前記鍵の操作により当該鍵に対応する弦を打撃するハンマと、前記ハンマによる前記弦への打撃を検出する検出手段と、前記検出手段による検出結果に基づいて、前記打撃された弦の基本周波数に対応する周波数の正弦波信号を出力する信号出力手段と、前記出力された正弦波信号を前記弦に伝達する信号伝達手段と、前記信号出力手段から出力される正弦波信号の振幅を決定するための振幅調整値を、前記弦ごとに設定する設定手段とを具備し、前記信号出力手段は、前記設定手段によって設定された振幅調整値に基づいて前記正弦波信号の振幅を制御することを特徴とするピアノを提供する。
【発明の効果】
【００１０】
本発明によれば、アコースティックピアノの自然な感じを残しつつ、その発音に音響効果を付与することができる。
【図面の簡単な説明】
【００１１】
【図１】本発明の実施形態におけるグランドピアノの外観を示す斜視図である。
【図２】本発明の実施形態におけるグランドピアノの内部構造を説明する図である。
【図３】本発明の実施形態における振動部の取り付け位置を説明する図である。
【図４】本発明の実施形態における音源装置の構成を示すブロック図である。
【図５】本発明の実施形態における音響効果付与装置の機能構成を示すブロック図である。
【図６】本発明の実施形態における信号出力部の機能構成を示すブロック図である。
【図７】本発明の実施形態における基本特性鍵テーブルの内容を説明する図である。
【図８】本発明の実施形態における基本特性鍵テーブルの具体例を説明する図である。
【図９】本発明の実施形態における基音ＯＳＣ鍵テーブルの内容を説明する図である。
【図１０】本発明の実施形態における基音ＡＥＧ鍵テーブルの内容を説明する図である。
【図１１】本発明の実施形態におけるタッチパネルに表示される設定画面の例を説明する図である。
【図１２】本発明の変形例１におけるグランドピアノの内部構造を説明する図である。
【図１３】本発明の変形例１における音響効果付与装置の機能構成を示すブロック図である。
【図１４】本発明の変形例２における音響効果付与装置の機能構成を示すブロック図である。
【図１５】本発明の変形例３における音響効果付与装置の機能構成を示すブロック図である。
【図１６】本発明の変形例５における音響効果の設定時の鍵の位置を説明する図である。
【図１７】本発明の変形例７におけるアップライトピアノの内部構造を示す図である。
【図１８】本発明の変形例８におけるグランドピアノの内部構造を説明する図である。
【発明を実施するための形態】
【００１２】
＜実施形態＞
［全体構成］
図１は、本発明の実施形態におけるグランドピアノ１の外観を示す斜視図である。グランドピアノ１は、その前面に演奏者によって演奏操作がなされる鍵２が複数配列された鍵盤、およびペダル３を有する。また、グランドピアノ１は、前面部分に操作パネル１３を有する音源装置１０、および譜面台部分に設けられたタッチパネル６０を有する。ユーザの指示は、操作パネル１３およびタッチパネル６０が操作されることにより、音源装置１０に対して入力可能になっている。
【００１３】
グランドピアノ１は、複数の発音モードのうち、ユーザの指示に応じた発音モードでの発音が可能になっている。この発音モードには、一般的なグランドピアノと同様の態様、ハンマによる打弦のみで発音させる通常発音モード、本発明の音響効果付与装置によって実現される態様で音響効果を付与して発音させる音響効果付与モード、および、ハンマによる打弦を阻止することにより消音させて電子音源により発音させる消音モードが含まれている。この音響効果付与モードにおいては、付与される音響効果を決定し、決定した内容を記憶させることができるようになっている。なお、通常発音モードおよび消音モードについては存在しなくてもよい。
【００１４】
また、グランドピアノ１は、複数の演奏モードのうち、ユーザの指示に応じた演奏モードでの動作が可能になっている。この演奏モードには、ユーザが演奏操作をして発音させる通常演奏モード、および鍵を自動的に駆動して発音させる自動演奏モードが含まれている。なお、いずれか一方の演奏モードについては存在しなくてもよい。
【００１５】
［グランドピアノ１の構成］
図２は、本発明の実施形態におけるグランドピアノ１の内部構造を説明する図である。この図においては、各鍵２に対応して設けられている構成については、１つの鍵２に着目して示し、他の鍵２に対応して設けられている部分については記載を省略している。
【００１６】
各鍵２の後端側（演奏するユーザから見て鍵２の奥側）の下部には、演奏モードが自動演奏モードである場合において、ソレノイドを用いて鍵２を駆動する鍵駆動部３０が設けられている。鍵駆動部３０は、音源装置１０からの制御信号に応じてソレノイドを駆動する。鍵駆動部３０は、ソレノイドを駆動してプランジャを上昇させることにより、ユーザが押鍵したときと同様な状態を再現する一方、プランジャを下降させることにより、ユーザが離鍵したときと同様な状態を再現する。このように、通常演奏モードと自動演奏モードとの違いは、鍵２を駆動させるのがユーザの操作であるか、鍵駆動部３０であるかの違いである。
【００１７】
ハンマ４は、各鍵２に対応して設けられ、鍵２が押下されるとアクション機構（図示略）を介して力が伝達されて移動し、各鍵２に対応する弦５を打撃する。また、ダンパ８は、鍵２の押下量、およびペダル３のうちダンパペダル（以下、単にペダル３といった場合にはダンパペダルを示す）の踏込量に応じて、弦５と非接触状態または接触状態となる。ダンパ８は、弦５と接触しているときには、その弦５の振動を抑制する。
【００１８】
ストッパ４０は、消音モードに設定されているときに、ハンマ４による弦５への打撃を阻止する部材である。すなわち、発音モードが消音モードに設定されているときには、ハンマシャンクがストッパ４０に衝突してハンマ４の弦５への打撃が阻止される一方、消音モード以外に設定されているときには、ストッパ４０は、ハンマシャンクと衝突しない位置に移動するようになっている。ストッパ４０は、音源装置１０からの制御信号に応じて、ハンマ４の打弦を阻止する位置と阻止しない位置とに移動するように構成されている。
【００１９】
鍵センサ２２は、各鍵２の下部に設けられ、鍵２の挙動に応じた検出信号を音源装置１０に出力する。この例においては、鍵センサ２２は、鍵２の押下量を検出し、検出結果を示す検出信号を音源装置１０に出力する。なお、鍵センサ２２は、鍵２の押下量に応じた検出信号を出力していたが、鍵２が特定の押下位置を通過したことを示す検出信号が出力されるようにしてもよい。特定の押下位置とは、鍵２のレスト位置からエンド位置に至る範囲のいずれかの位置であり、複数箇所であることが望ましい。このように、鍵センサ２２が出力する検出信号は、鍵２の挙動を音源装置１０に認識させることができる信号であればどのようなものであってもよい。
【００２０】
ハンマセンサ２４は、各ハンマ４に対応して設けられ、ハンマ４の挙動に応じた検出信号を音源装置１０に出力する。この例においては、ハンマセンサ２４は、ハンマ４による弦５の打撃直前の移動速度を検出し、検出結果を示す検出信号を音源装置１０に出力する。なお、この検出信号は、ハンマ４の移動速度そのものを示すものでなくてもよく、別の態様での検出信号として、音源装置１０において移動速度が算出されるようにしてもよい。例えば、ハンマ４が移動中にハンマシャンクが通過する２つの位置について、ハンマシャンクが通過したことを示す検出信号が出力されるようにしてもよいし、一方の位置を通過してから他方の位置を通過するまでの時間を示す検出信号が出力されるようにしてもよい。このように、ハンマセンサ２４が出力する検出信号は、ハンマ４の挙動を音源装置１０に認識させることができる信号であればどのようなものであってもよい。
【００２１】
ペダルセンサ２３は、各ペダル３に対応して設けられ、ペダル３の挙動に応じた検出信号を音源装置１０に出力する。この例においては、ペダル３の踏込量を検出し、検出結果を示す検出信号を音源装置１０に出力する。なお、ペダルセンサ２３は、ペダル３の踏込量に応じた検出信号を出力していたが、ペダル３が特定の踏込位置を通過したことを示す検出信号が出力されるようにしてもよい。特定の踏込位置とは、ペダルのレスト位置からエンド位置に至る範囲のいずれかの位置であり、ダンパ８と弦５とが完全に接触する状態と非接触の状態とを区別できる踏込位置であることが望ましく、複数箇所を特定の踏込位置とすることでハーフペダルの状態についても検出することができるようにすることがさらに望ましい。このように、ペダルセンサ２３が出力する検出信号は、ペダル３の挙動を音源装置１０に認識させることができる信号であればどのようなものであってもよい。
【００２２】
なお、鍵センサ２２、ペダルセンサ２３、およびハンマセンサ２４から出力される検出信号によって、音源装置１０が、弦５に対するハンマ４の打撃タイミング（キーオンのタイミング）、打撃速度（ベロシティ）、およびその弦５に対するダンパ８の振動抑制タイミング（キーオフのタイミング）を、各鍵２（キーナンバ）に対応して特定することができるようになっていれば、鍵センサ２２、ペダルセンサ２３およびハンマセンサ２４は、鍵２、ペダル３、ハンマ４の挙動を検出した結果を、他の態様での検出信号として出力してもよい。
【００２３】
響板７は、響棒７５および駒６が接続され、駒６を介して響板７の振動を各弦５に伝達するとともに、各弦５の振動が駒６を介して伝達される。
また、響板７には、振動部５０が接続されている。振動部５０は、響板７に対して振動を伝達するアクチュエータと、アクチュエータを駆動する駆動回路とを有する。この駆動回路は、音源装置１０から出力される駆動波形信号を増幅してアクチュエータに供給することにより、アクチュエータを駆動波形信号が示す波形で振動させる。また、振動部５０は、直支柱９に接続された支持部５５によって支持されて、響板７に接続されている。なお、振動部５０は、支持部５５を用いずに響板７によって支持されるようにしてもよい。この場合には、振動部５０は、駆動波形信号に応じた振動を慣性力によって響板７に伝達する。
【００２４】
図３は、本発明の実施形態における振動部５０の取り付け位置を説明する図である。図３に示すように、振動部５０は、響板７のうち、複数存在する響棒７５の間に接続されている。なお、この例においては、複数の振動部５０が響板７に接続されているが、１つであってもよい。また、振動部５０は、響棒７５に接続されていてもよい。また、振動部５０は、駒６に対応する響板７の位置に設けられてもよい。この場合、響板７は、振動部５０と駒６とに挟まれた状態になる。
【００２５】
［音源装置１０の構成］
図４は、本発明の実施形態における音源装置１０の構成を示すブロック図である。音源装置１０は、制御部１１、記憶部１２、操作パネル１３、通信部１４、信号発生部１５、およびインターフェイス１６を有する。これらの各構成はバスを介して接続されている。
制御部１１は、ＣＰＵ（Central Processing Unit）などの演算装置、ＲＯＭ（Read Only Memory）、およびＲＡＭ（Random Access Memory）などの記憶装置を有する。制御部１１は、記録装置に記憶されている制御プログラムに基づいて、音源装置１０の各部およびインターフェイス１６に接続された各構成を制御する。この例においては、制御部１１は、制御プログラムを実行することにより、音源装置１０および音源装置１０に接続された構成の一部を、音響効果付与装置１００（図５参照）として機能させる。
【００２６】
記憶部１２は、制御プログラムを実行しているときに用いられる各種設定内容を示す設定情報を記憶する。設定情報は、鍵センサ２２、ペダルセンサ２３、およびハンマセンサ２４から出力される検出信号に基づいて、信号発生部１５において生成する駆動波形信号の内容を決定するための情報である。例えば、押下された鍵２と生成する駆動波形信号との関係を規定するテーブルなどが含まれている。記憶部１２は、各々内容の異なる設定情報を複数記憶している。設定情報の内容についての詳細は後述する。
【００２７】
操作パネル１３は、ユーザの操作を受け付ける操作ボタンなどを有する。この操作ボタンによりユーザの操作が受け付けられると、操作に応じた操作信号が制御部１１に出力される。インターフェイス１６に接続されたタッチパネル６０は、液晶ディスプレイなどの表示画面を有し、その表示画面の表面部分には、ユーザの操作を受け付けるタッチセンサが設けられている。この表示画面には、制御部１１のインターフェイス１６を介した制御により、記憶部１２に記憶された複数の設定情報のうち、一の設定情報を選択するための選択画面、各種モードの設定などを行う設定画面、楽譜などの各種情報が表示される。この例において用いられる設定画面の例については、後述する（図１１参照）。また、タッチセンサにより利用者の操作が受け付けられると、操作に応じた操作信号がインターフェイス１６を介して制御部１１に出力される。ユーザから音源装置１０への指示は、操作パネル１３およびタッチパネル６０などの操作手段によって受け付けられる操作により入力される。
【００２８】
通信部１４は、無線、有線などにより他の装置と通信を行うインターフェイスである。このインターフェイスには、ＤＶＤ（Digital Versatile Disk）やＣＤ（Compact Disk）などの記録媒体に記録された各種データを読み出し、読み出したデータを出力するディスクドライブが接続されていてもよい。通信部１４を介して音源装置１０に入力されるデータは、例えば、自動演奏に用いる楽曲データなどである。
【００２９】
信号発生部１５は、制御部１１の制御により、正弦波信号を発生させてエンベロープを調整して、駆動波形信号として出力する音源を有する。
インターフェイス１６は、音源装置１０と外部の各構成とを接続するインターフェイスである。インターフェイス１６に接続される各構成は、この例においては、鍵センサ２２、ペダルセンサ２３、ハンマセンサ２４、鍵駆動部３０、ストッパ４０、振動部５０およびタッチパネル６０である。インターフェイス１６は、鍵センサ２２、ペダルセンサ２３、ハンマセンサ２４から出力される検出信号、およびタッチパネル６０から出力される操作信号を、制御部１１に出力する。また、インターフェイス１６は、制御部１１から出力された制御信号を鍵駆動部３０およびストッパ４０に出力し、信号発生部１５から出力された駆動波形信号を振動部５０に出力する。
続いて、制御部１１が制御プログラムを実行することにより機能する音響効果付与装置１００について説明する。なお、この制御プログラムは、発音モードが音響効果付与モードであるときに実行されるプログラムである。
【００３０】
［音響効果付与装置１００の機能構成］
図５は、本発明の実施形態における音響効果付与装置１００の機能構成を示すブロック図である。音響効果付与装置１００は、特定部１１０、検出部１２０、信号出力部１３０、信号伝達部１４０および設定部２００を有する。図５に示すように、鍵２が操作されると、ハンマ４が弦５を打撃し、弦５が振動する。また、鍵２の操作、ペダル３の操作によりダンパ８が動作する。ダンパ８の動作により、弦５の振動の抑制状態が変化する。
【００３１】
特定部１１０は、タッチパネル６０により、記憶部１２に記憶された複数の設定情報から１つの設定情報を選択させるユーザの操作を受け付ける。また、特定部１１０は、選択された設定情報を、信号出力部１３０において用いられる設定情報として、制御部１１により特定する。
【００３２】
検出部１２０は、鍵センサ２２、ペダルセンサ２３およびハンマセンサ２４により、鍵２、ペダル３およびハンマ４の挙動をそれぞれ検出する。また、検出部１２０は、鍵センサ２２、ペダルセンサ２３およびハンマセンサ２４から出力される検出信号に基づいて、ハンマ４による弦５の打撃タイミング（キーオンのタイミング）、打撃された弦５に対応する鍵２の番号（キーナンバ）、打撃速度（ベロシティ）、およびその弦５に対するダンパ８の振動抑制タイミング（キーオフのタイミング）を、信号出力部１３０で用いる情報（楽音制御情報）として、制御部１１により特定する。この例においては、検出部１２０は、打撃タイミングおよび鍵２の番号については鍵２の挙動から特定し、打撃速度についてはハンマ４の挙動から特定し、振動抑制タイミングについては、鍵２およびペダル３の挙動から特定する。なお、打撃タイミングがハンマ４の挙動から特定されてもよいし、打撃速度が鍵２の挙動から特定されてもよい。
【００３３】
検出部１２０は、特定したキーオンのタイミングにおいて、キーナンバ、ベロシティ、およびキーオンを示す楽音制御情報を、信号出力部１３０に出力する。また、検出部１２０は、キーオフのタイミングにおいて、キーナンバおよびキーオフを示す楽音制御情報を、信号出力部１３０に出力する。
【００３４】
信号出力部１３０は、検出部１２０から出力される楽音制御情報に基づいて、信号発生部１５により正弦波信号を発生して、駆動波形信号として信号伝達部１４０に出力する。ここで、正弦波信号の発生態様については、特定部１１０によって特定された設定情報に基づいて制御部１１により指示される。信号出力部１３０における詳細な機能構成については後述する。
【００３５】
信号伝達部１４０は、信号出力部１３０からの駆動波形信号を弦５に伝達する。信号伝達部１４０は、この駆動波形信号を振動部５０に供給してアクチュエータを振動させ、響板７および駒６を介して、駆動波形信号が示す振動を弦５に伝達する。なお、駒６および響板７には、ハンマ４の打弦による弦５の振動も伝達される。
続いて、信号出力部１３０における詳細な機能構成について図６を用いて説明する。
【００３６】
［信号出力部１３０の機能構成］
図６は、本発明の実施形態における信号出力部１３０の機能構成を示すブロック図である。信号出力部１３０は、制御部１１によって実現される発音制御部１３１、信号発生部１５により実現される正弦波発生部１３２、エンベロープ調整部１３３、および合成部１３４を有する。この例においては、正弦波発生部１３２は、基音ＯＳＣ（Oscillator）、２倍音ＯＳＣ、３倍音ＯＳＣおよび４倍音ＯＳＣを有する。基音ＯＳＣ、２倍音ＯＳＣ、３倍音ＯＳＣおよび４倍音ＯＳＣは、それぞれ、発音制御部１３１の制御にしたがって正弦波信号を出力する。
【００３７】
エンベロープ調整部１３３は、基音ＡＥＧ（Amplitude Envelope Generator）、２倍音ＡＥＧ、３倍音ＡＥＧおよび４倍音ＡＥＧを有する。基音ＡＥＧ、２倍音ＡＥＧ、３倍音ＡＥＧおよび４倍音ＡＥＧは、基音ＯＳＣ、２倍音ＯＳＣ、３倍音ＯＳＣおよび４倍音ＯＳＣに対応して設けられ、入力された正弦波信号の振幅の時間変化を、発音制御部１３１の制御にしたがって調整して出力する。
【００３８】
合成部１３４は、エンベロープ調整部１３３から出力された正弦波信号を合成（加算）して、駆動波形信号として信号伝達部１４０に出力する。
発音制御部１３１は、特定部１１０によって特定された設定情報、および検出部１２０によって出力された楽音制御情報に基づいて、正弦波発生部１３２およびエンベロープ調整部１３３の動作を制御する。すなわち、発音制御部１３１によってエンベロープ調整部１３３から出力される正弦波信号の周波数、振幅などが制御される。
【００３９】
ここで、設定情報の内容について説明する。この例においては、設定情報には、複数のテーブルが含まれている。複数のテーブルとは、キーナンバと正弦波発生部１３２の全体の制御パラメータとの関係を定めた基本特性鍵テーブル、キーナンバと基音ＯＳＣの制御パラメータとの関係を定めた基音ＯＳＣ鍵テーブル、キーナンバと基音ＡＥＧの制御パラメータを定めた基音ＡＥＧ鍵テーブルを含む。設定情報には、基音ＯＳＣ鍵テーブルと同様、２倍音ＯＳＣ、３倍音ＯＳＣ、４倍音ＯＳＣの制御パラメータとキーナンバとの関係を定めた２倍音ＯＳＣ鍵テーブル、３倍音ＯＳＣ鍵テーブル、４倍音ＯＳＣ鍵テーブルについても含まれ、基音ＡＥＧ鍵テーブルと同様、２倍音ＡＥＧ、３倍音ＡＥＧ、４倍音ＡＥＧの制御パラメータとキーナンバとの関係を定めた２倍音ＡＥＧ鍵テーブル、３倍音ＡＥＧ鍵テーブル、４倍音ＡＥＧ鍵テーブルについても含まれている。このように、設定情報は、これらの各テーブルにおいて、駆動波形信号に含まれる正弦波信号の特徴を規定するようになっている。
【００４０】
なお、以下の説明においては、２倍音ＯＳＣ鍵テーブル、３倍音ＯＳＣ鍵テーブル、４倍音ＯＳＣ鍵テーブルについては、基音ＯＳＣ鍵テーブルと適用される対象が異なるだけであるから、説明を省略する。また、２倍音ＡＥＧ鍵テーブル、３倍音ＡＥＧ鍵テーブル、４倍音ＡＥＧ鍵テーブルについても同様に、基音ＡＥＧ鍵テーブルと適用される対象が異なるだけであるから、説明を省略する。
【００４１】
また、ベロシティと振幅レベルとの関係（ベロシティカーブ）を定めた情報についても複数種類が設定情報に含まれている。この情報は設定情報とは別に設けられていてもよい。また、ペダル３の踏込量に応じてダンパペダルの効きの程度（ハーフペダル時の効果など）を制御するためのパラメータを定めた情報についても設けられていてもよい。
【００４２】
図７は、本発明の実施形態における基本特性鍵テーブルの内容を説明する図である。図８は、本発明の実施形態における基本特性鍵テーブルの具体例を説明する図である。基本特性鍵テーブルは、キーナンバ（Key No.）に対して、基音ピッチ（tuning）、主音量（volume）、不調和度（inharmonicity parameter）、ベロシティ調整（velocity adjust）が規定されている。
【００４３】
基音ピッチについては、キーナンバに対応する鍵２が押下されたときにハンマ４によって打撃される弦５の基本周波数に相当するパラメータ（ｔｎ１、ｔｎ２、・・・）として定められ、基音ＯＳＣにおいて発生させる正弦波信号の周波数を決めるパラメータである。この例においては、このパラメータは、平均律からのずれ量をセント値で表したものであり、例えば、図８（ａ）に示す関係で定められている。この関係は、記憶部１２に記憶されている複数の設定情報のうちの１つの例である。
なお、このパラメータは、ずれ量を周波数で表したものであってもよいし、ピッチの周波数そのものによって定められていてもよい。
【００４４】
不調和度については、ｎ倍音の周波数が基本周波数のｎ倍よりわずかに大きくなるアコースティックピアノの不調和性（インハーモニシティ）の程度を示すパラメータ（ｉｈ１、ｉｈ２、・・・）として定められ、２倍音ＯＳＣ、３倍音ＯＳＣおよび４倍音ＯＳＣにおいて発生させる正弦波信号の周波数を決めるパラメータである。このパラメータ（inharmonicity parameter）は、どのように定義されたものであってもよいが、この例においては、特開平４−１９１８９４号公報に開示されているパラメータｂ値に相当するものとし、例えば、図８（ｂ）に示す関係で定められている。この関係は、記憶部１２に記憶されている複数の設定情報のうちの１つの例である。
【００４５】
主音量については、正弦波発生部１３２において発生させる正弦波信号の振幅を全体的に制御するパラメータ（ｖｍ１、ｖｍ２、・・・）として定められている。
ベロシティ調整については、適用されるベロシティカーブを示すパラメータ（ｖａ１、ｖａ２、・・・）として定められている。
【００４６】
図９は、本発明の実施形態における基音ＯＳＣ鍵テーブルの内容を説明する図である。基音ＯＳＣ鍵テーブルは、キーナンバ（Key No.）に対して、倍数（multiple）、従音量（level）、位相（phase）、ピッチ（pitch adjust）が規定されている。
倍数については、基音ＯＳＣにおいて発生させる正弦波信号の周波数と、上記基音ピッチとの関係とを定めるパラメータ（ｍｐ１、ｍｐ２、・・・）として定められている。通常は、基音ＯＳＣ鍵テーブルにおいては、全てのキーナンバに対して「１倍」として定められ、２倍音ＯＳＣ鍵テーブル、３倍音ＯＳＣ鍵テーブル、４倍音ＯＳＣ鍵テーブルにおいては「２倍」、「３倍」、「４倍」として定められる。
【００４７】
従音量については、基音ＯＳＣにおいて発生させる正弦波信号の振幅を制御するパラメータ（ｌｖ１、ｌｖ２、・・・）として定められている。基音ＯＳＣから出力される正弦波信号の振幅は、ベロシティ調整に示されるベロシティカーブによって決まる出力レベル、主音量、および、この従音量によって決まる。そして、基音ＡＥＧによって振幅の時間変化が制御される。通常は、基音ＯＳＣ鍵テーブルにおける従音量よりも、２倍音ＯＳＣ鍵テーブルの方が小さくなり、３倍音ＯＳＣ鍵テーブル、４倍音ＯＳＣ鍵テーブルの方がより小さくなるように定められる。
【００４８】
位相については、基音ＯＳＣにおいて発生させる正弦波信号の位相を制御するパラメータ（ｐｈ１、ｐｈ２、・・・）として定められている。
ピッチについては、基音ＯＳＣにおいて発生させる正弦波信号の周波数を、基本特性鍵テーブルによって決められる周波数からシフトさせるパラメータ（ｐｓ１、ｐｓ２、・・・）として定められている。
なお、基音ＯＳＣ鍵テーブルにより規定される基音ＯＳＣから出力される正弦波信号は、これらのパラメータの組み合わせで定められる場合に限らず、様々な態様で定めることができる。
【００４９】
図１０は、本発明の実施形態における基音ＡＥＧ鍵テーブルの内容を説明する図である。基音ＡＥＧ鍵テーブルは、キーナンバ（Key No.）に対して、エンベロープを定めるパラメータ（ＡＤＳＲ）が定められ、この例においては、アタックタイム（attack time）、ディケイタイム（decay time）、ディケイレベル（decay level）、サスティンタイム（sustain time）、リリースタイム（release time）が規定されている。
【００５０】
アタックタイムについては、正弦波信号の振幅を最大振幅（アタックレベル）に到達させるまでのキーオンからの時間のパラメータ（ａｔ１、ａｔ２、・・・）として定められている。ディケイタイムについては、正弦波信号の振幅をアタックレベルからディケイレベルまで到達させるまでの時間のパラメータ（ｄｔ１、ｄｔ２、・・・）として定められている。このディケイレベルについては、パラメータ（ｄｌ１、ｄｌ２、・・・）として定められている。サスティンタイムについては、キーオンの状態が維持された場合（キーオフが無い場合）に、正弦波信号の振幅をディケイレベルから０に減衰させるまでの時間のパラメータ（ｓｔ１、ｓｔ２、・・・）として定められている。リリースタイムについては、キーオフの後、正弦波信号の振幅を０に減衰させるまでの時間のパラメータ（ｒｔ１，ｒｔ２、・・・）として定められている。
なお、基音ＡＥＧ鍵テーブルにより規定されるエンベロープは、これらのパラメータの組み合わせで定められる場合に限らず、様々な態様で定めることができる。
【００５１】
図６に戻って説明を続ける。発音制御部１３１は、特定部１１０によって特定された設定情報における各テーブルを参照し、検出部１２０によって出力された楽音制御情報に基づいて、正弦波発生部１３２およびエンベロープ調整部１３３の動作を制御する。例えば、発音制御部１３１は、キーナンバ、ベロシティ、およびキーオンの楽音制御情報が入力されると、設定情報を参照し、キーナンバに対応する各種パラメータを用いて、正弦波発生部１３２に正弦波信号を発生させ、駆動波形信号を出力させる。キーオフの楽音制御情報が入力されると、リリースタイム経過後に正弦波発生部１３２における正弦波信号の発生を停止させる。
【００５２】
なお、図６に示す正弦波発生部１３２およびエンベロープ調整部１３３の組については、１つの組のみ図示しているが、実際には複数組存在している。これにより、検出部１２０から出力された楽音制御情報により、複数のキーナンバについて同時にキーオンの状態になっている場合には、各キーナンバに対応して１つの組が割り当てられる。そして、各組から出力される正弦波信号については、合成部１３４において合成される。
【００５３】
図５に戻って説明を続ける。設定部２００は、音響効果付与装置１００によって付与される音響効果を決定するための正弦波信号の特徴を設定するときに用いられる。設定部２００は、タッチパネル６０により、記憶部１２に記憶される設定情報が規定する正弦波信号の特徴を設定させるユーザの操作を受け付ける。また、設定部２００は、受け付けられた操作により設定された正弦波信号の特徴を規定する設定情報を、制御部１１によって記憶部１２に記憶させる。このとき、設定部２００は、予め記憶部１２に記憶されている設定情報の内容を基準として、ユーザに正弦波信号の特徴を設定させてもよいし、新たに設定情報の内容を規定するようにして、ユーザに正弦波信号の特徴を設定させてもよい。
以上が、音響効果付与装置１００の機能構成についての説明である。
【００５４】
［動作例］
続いて、本発明の実施形態におけるグランドピアノ１の動作例について説明する。まず、ユーザは、タッチパネル６０を操作して、演奏モードを通常演奏モードとし、発音モードを音響効果付与モードとして設定する。また、ユーザは、タッチパネル６０を操作して、記憶部１２に記憶された複数の設定情報のうち、ユーザが所望する内容が規定された設定情報を選択する。
【００５５】
以下の説明においては、選択された設定情報は、駆動波形信号が実際の弦５に近い振動を示すように規定されているものとする。例えば、基本特性鍵テーブルにおける基音ピッチについては、弦５の基本周波数と一致するように定められている。また、不調和度についても、弦５の２倍音、３倍音、４倍音の周波数の正弦波信号が駆動波形信号に含まれるように定められている。また、駆動波形信号（または各正弦波信号）の振幅のエンベロープも、弦５の振動の減衰態様に概ね一致するように、各パラメータが定められている。また、この例においては、選択された設定情報は、基本特性鍵テーブルにおける主音量については、全てのキーナンバについて、「０」（基準音量）とした相対的に設定されている。
まず、ユーザは、音響効果付与装置１００によって付与される音響効果を設定する指示を入力する。ここでは、基本特性鍵テーブルにおける主音量（volume）を設定する指示が行われた場合について説明する。ユーザにより主音量を設定する指示が行われると、設定部２００は、制御部１１によりタッチパネル６０に図１１に示す設定画面を表示させる。
【００５６】
図１１は、本発明の実施形態におけるタッチパネル６０に表示される設定画面の例を説明する図である。設定画面は、図１１に示すように、横軸方向にキーナンバが鍵を示す画像により示されている。また、この例においては、主音量を設定するものであるから、縦軸は主音量（volume）として示されている。設定内容を示す線ＶＣは、基本特性鍵テーブルにおける主音量を示す値であり、「０」の場合を音量の調整を基準値とし、＋側にいくほど基準値より音量（正弦波信号の振幅）を増加させ、−側にいくほど減少させるものである。この増減は、ゲインの量を示すものであってもよいし、オフセットの量を示すものであってもよい。
【００５７】
ユーザは、タッチパネル６０上の一点に接触することにより、接触した点の横軸方向の位置に対応するキーナンバについて、その点の縦軸方向の位置に対応する主音量として設定する。例えば、図１１（ａ）に示すように、接触点ＴＣをユーザが触ることで、接触点ＴＣの位置のキーナンバ「Ｇ２」に対して、その位置の主音量「−８」が設定される。この例においては、ユーザは、図１１（ｂ）に示すように、キーナンバと主音量との関係を設定したものとする。
設定部２００は、このようにして設定されたキーナンバと主音量との関係になるように、ユーザによって選択された設定情報に規定されたパラメータを更新して記憶部１２に記憶させる。なお、設定部２００は、このようにパラメータが更新された設定情報を新たな設定情報として記憶部１２に記憶させてもよい。
【００５８】
ここで、上記の設定を行うに当たり、ユーザは、鍵２を操作してその結果の発音内容を聴くことができるようにしてもよい。この場合には、以下に説明するように、弦５におけるハンマ４の打撃により励起された振動と、駆動波形信号により励起された振動とによる発音内容を聴くようにしてもよいし、消音モードにしてハンマ４がストッパ４０により弦５への打撃を阻止された状態で、駆動波形信号により励起された振動による発音内容を聴くようにしてもよい。そして、ユーザは、各鍵２について、所望する音量での発音となるように、上記設定を行うようにすればよい。
【００５９】
この例において、図１１（ｂ）に示すキーナンバと主音量との関係は、信号伝達部１４０における駆動波形信号の弦５への伝達特性に基づいて決められたものとする。この伝達特性とは、響板７の形状、振動部５０の取り付け位置などの影響により、信号出力部１３０から弦５までにおいて特定の周波数特性をいう。この例においては、この周波数特性においてピークとなる部分（共鳴する部分）を打ち消すように、キーナンバと主音量との関係が定められている。すなわち、ユーザは、各鍵２への操作により発音が大きく聴こえる鍵２のキーナンバに対応する主音量について、減少させるように設定したものとする。この関係は、図１１（ｂ）におけるキーナンバ「Ｇ２」近傍におけるディップ形状に現れている。
【００６０】
信号出力部１３０においては、このようにして設定部２００によってパラメータが更新された場合には、特定部１１０によって特定された設定情報そのものではなく、パラメータが更新された設定情報を用いて、駆動波形信号を出力する。
【００６１】
ユーザが鍵２を操作すると、操作した鍵２に対応する弦５がハンマ４によって打撃され振動する。一方、検出部１２０によって、ハンマ４の打撃タイミングが特定されることにより、駆動波形信号が信号出力部１３０から出力される。この駆動波形信号が示す波形で振動部５０が振動することにより響板７も振動し、駒６を介して弦５にも伝達される。
この駆動波形信号は、ハンマ４によって打撃された弦５についての基本周波数、およびインハーモニシティを考慮した２倍音の周波数、３倍音の周波数、および４倍音の周波数の正弦波信号を合成した信号である。
【００６２】
したがって、この駆動波形信号は、ハンマ４によって打撃された弦５に対して、他の弦５よりも効果的に伝達される。これにより、弦５の振動は、ハンマ４の打撃により励起されるだけでなく、駆動波形信号によっても励起されることになり、駆動波形信号に応じた音響効果が付与された状態となる。また、ハンマ４の打撃により振動が励起された弦５に対して伝達される駆動波形信号は、その弦５の基本周波数、および倍音周波数の正弦波信号といった単純な信号で構成されるため、ピアノのサンプリング音などに見られる余分な周波数成分が含まれない。そのため、駆動波形信号を弦５に伝達したとしても、アコースティックピアノの自然な感じを残すことができる。
【００６３】
また、上記のように設定されたキーナンバと主音量との関係を規定する設定情報が用いられて駆動波形信号が発生しているため、信号伝達部１４０における周波数特性のピークの影響を抑えた状態で、駆動波形信号が弦５に伝達される。そのため、同じベロシティになるように様々な鍵２を操作したときに、信号伝達部１４０における周波数特性のピークに近い駆動波形信号を出力する鍵２が操作された場合の発音とその他の鍵２が操作された場合の発音との音量の違いを抑えることもできる。
さらに、ユーザの指示に応じて、駆動波形信号に含まれる正弦波信号の特徴を様々に設定して記憶させることができるから、様々な音響効果を付与するテンプレートを作っておくことができる。また、響板７の振動特性、弦５の基本周波数などが異なるグランドピアノ１において音響効果付与装置１００が用いられたとしても、これらの諸特性に応じて設定情報の内容を変更することができる。
【００６４】
＜変形例＞
以上、本発明の実施形態について説明したが、本発明は以下のように、さまざまな態様で実施可能である。
［変形例１］
上述した実施形態においては、設定部２００は、ユーザがタッチパネル６０を操作して、設定情報におけるキーナンバと主音量との関係を設定していたが、別の態様により設定されるようにしてもよい。一つの態様としては、ユーザによって入力された指示（自動設定指示）により、設定部２００が測定信号を発生させ、信号伝達部１４０を介して弦５に測定信号を伝達させ、測定信号による弦５の振動態様に基づいて、キーナンバと主音量との関係を設定する。この場合の構成について、図１２、図１３を用いて説明する。
【００６５】
図１２は、本発明の変形例１におけるグランドピアノ１Ａの内部構造を説明する図である。グランドピアノ１Ａは、実施形態における構成に追加して、弦５の振動からの発音を収音するマイクロフォン８０およびペダル駆動部３１が設けられている。マイクロフォン８０は、インターフェイス１６を介して音源装置１０と接続され、音源装置１０に対して収音した内容を示す収音信号を出力する。なお、弦５の振動を検出することができる構成であれば、マイクロフォン８０のように収音によるものでなくてもよく、例えば、ピエゾピックアップ、マグネティックピックアップなど、様々な振動検出手段が適用可能である。以下に説明する変形例２、３においても同様である。
ペダル駆動部３１は、インターフェイス１６を介して音源装置１０と接続され、音源装置１０からの制御信号に応じてペダル３を押下させる駆動をする。これにより音源装置１０は、ダンパ８と弦５との接触状態を制御する。なお、ダンパ８と弦５との接触状態を制御できればよいから、ペダル３を介さずにダンパ８を直接駆動する構成であってもよい。以下に説明する変形例３においても同様である。
なお、本変形例におけるマイクロフォン８０およびペダル駆動部３１を含む構成について、実施形態における図４に対応するブロック図については記載を省略する。
【００６６】
図１３は、本発明の変形例１における音響効果付与装置１００Ａの機能構成を示すブロック図である。音響効果付与装置１００Ａは、実施形態における構成とは異なる設定部２００Ａを有している。設定部２００Ａは、マイクロフォン８０（振動検出手段）によって弦５の振動を検出する。また、設定部２００Ａは、ペダル駆動部３１によってダンパ８の弦５との接触状態を制御する。
設定部２００Ａは、ユーザによって入力された指示（自動設定指示）により、信号発生部１５により測定信号を発生させて振動部５０に出力し、振動部５０を測定信号により振動させる。測定信号は、この例においては、ホワイトノイズである。このとき、設定部２００Ａは、ダンパ８と弦５とが非接触状態になるように、ペダル３を駆動させる。設定部２００Ａは、弦５の振動による発音をマイクロフォン８０により収音し、収音信号の周波数分布に基づいて信号伝達部１４０における周波数特性を、制御部１１によって算出する。そして、設定部２００Ａは、この周波数特性の逆特性に対応するように、設定情報におけるキーナンバと主音量との関係を、制御部１１によって設定する。このとき、周波数特性における周波数値は、キーナンバに対応する弦５の基本周波数に対応するようにして設定する。このように設定することにより、実施形態の動作例において示した態様（図１１（ｂ））に相当する設定情報とすることができる。
【００６７】
なお、算出した周波数特性の逆特性とすることにより、信号伝達部１４０における周波数特性のピークなどの影響を抑えることができるが、必ずしも逆特性でなくてもよく、予め決められた周波数特性の駆動波形信号が弦５に伝達されるように、設定情報におけるキーナンバと主音量との関係が設定されるようにすればよい。すなわち、キーナンバと主音量との関係は、必ずしも信号伝達部１４０における周波数特性のピークなどを打ち消すようにして、弦５に駆動波形信号が伝達されるように設定される場合に限らず、付与したい音響効果に合わせて周波数特性を補正するように設定されてもよい。このことは、実施形態のように、ユーザが設定する場合においても同様である。また、以下に説明する変形例２、３においても同様である。
【００６８】
また、測定信号はホワイトノイズでなくてもよく、一定範囲の周波数帯域に分布した音を示す信号であればよい。また、設定部２００Ａは、各々周波数帯域が異なる測定信号を、それぞれ異なる期間に出力して、各測定信号の出力に対応して、測定信号の周波数帯域に含まれる周波数値のキーナンバと主音量との関係を設定するようにしてもよい。
【００６９】
［変形例２］
上述した図１２に示す構成を有するグランドピアノ１Ａにおいて、変形例１における音響効果付与装置１００Ａとは異なる態様でキーナンバと主音量との関係を設定する音響効果付与装置１００Ｂについて説明する。
【００７０】
図１４は、本発明の変形例２における音響効果付与装置１００Ｂの機能構成を示すブロック図である。音響効果付与装置１００Ｂにおける設定部２００Ｂは、ユーザによって入力された指示（自動設定指示）により、鍵駆動部３０により鍵２を順に駆動して信号出力部１３０から出力される駆動波形信号を測定信号として弦５に伝達させる。このとき、設定部２００Ｂは、ハンマ４による弦５の打撃を阻止するようにストッパ４０を駆動（消音モード）する。これにより、弦５は、ハンマ４に打弦されることなく、信号伝達部１４０により伝達された駆動波形信号（測定信号）によって振動する。なお、鍵２が駆動されているためダンパ８も併せて駆動されるから、変形例１に示すペダル駆動部３１は、本変形例においては無くてもよい。
また、設定部２００Ｂは、信号出力部１３０において用いられる測定信号用の設定情報を特定部１１０に特定させる。この測定信号用の設定情報とは、信号出力部１３０において出力される駆動波形信号（測定信号）が、駆動された鍵２に対応する弦５の基本周波数の正弦波信号であり、どの鍵２が駆動されても、その正弦波信号の振幅の最大値が一定値になるように規定された設定情報である。すなわち、この例においては、駆動波形信号（測定信号）には、２倍音ＯＳＣ、３倍音ＯＳＣ、４倍音ＯＳＣからの正弦波信号は含まれない。
【００７１】
設定部２００Ｂは、各鍵２の駆動に応じて弦５に伝達された駆動波形信号（正弦波信号）により振動した弦５の発音をマイクロフォン８０により収音し、収音信号の最大振幅に基づいて、駆動した鍵２のキーナンバに対応する主音量を制御部１１によって設定する。例えば、設定部２００Ｂは、信号伝達部１４０における周波数特性のピークなどを打ち消すようにして、弦５に駆動波形信号を伝達する場合には、収音した信号の最大振幅が、予め決められた値（駆動された鍵２のベロシティに対応して決められた値であってもよい）であれば、主音量を「０」（基準音量）として設定し、最大振幅が大きいほど、主音量を小さく設定すればよい。
【００７２】
［変形例３］
上述した図１２に示す構成を有するグランドピアノ１Ａにおいて、変形例１における音響効果付与装置１００Ａ、変形例２における音響効果付与装置１００Ｂとは異なる態様でキーナンバと主音量との関係を設定する音響効果付与装置１００Ｃについて説明する。
【００７３】
図１５は、本発明の変形例３における音響効果付与装置１００Ｃの機能構成を示すブロック図である。音響効果付与装置１００Ｃにおける設定部２００Ｃは、変形例２のように各鍵２を順に駆動させて、信号出力部１３０に楽音制御情報を入力するのではなく、ユーザによって入力された指示により、各鍵２が順に駆動された場合に検出部１２０から出力される楽音制御情報を生成して、信号出力部１３０に出力する。すなわち、鍵２が駆動された場合と同様な状況で、信号出力部１３０に駆動波形信号を出力させる。このとき、設定部２００Ｃは、ダンパ８と弦５とが非接触状態になるように、ペダル３を駆動させる。
変形例３については、変形例２における場合と、楽音制御情報が、鍵２を駆動した結果として検出部１２０から出力されるか、設定部２００Ｃから出力されるかの違いであるため、設定部２００Ｃについての他の機能について説明を省略する。
【００７４】
［変形例４］
上述した実施形態、変形例においては、信号伝達部１４０における周波数特性の影響を補正するために、設定情報の基本特性鍵テーブルにおける主音量の値を設定していたが、駆動波形信号の振幅を調整するパラメータ（振幅調整値）であれば、他のパラメータにより設定してもよい。例えば、基音ＯＳＣ鍵テーブル、２倍音ＯＳＣ鍵テーブル、３倍音ＯＳＣ鍵テーブル、および４倍音ＯＳＣ鍵テーブルにおける従音量（level）であってもよい。このようにすれば、基音ＯＳＣ、２倍音ＯＳＣ、３倍音ＯＳＣ、４倍音ＯＳＣのそれぞれから出力される正弦波信号のそれぞれに対して音量調整をすることもできる。
【００７５】
この場合、基音ＯＳＣ鍵テーブル、２倍音ＯＳＣ鍵テーブル、３倍音ＯＳＣ鍵テーブル、および４倍音ＯＳＣ鍵テーブルのいずれかにおける従音量のみを設定するようにしてもよい。例えば、変形例１、２、３における構成において、基本特性鍵テーブルにおけるキーナンバと主音量との関係を設定するのではなく、基音ＯＳＣ鍵テーブルにおけるキーナンバと従音量との関係を設定し、２倍音ＯＳＣ鍵テーブル、３倍音ＯＳＣ鍵テーブル、および４倍音ＯＳＣ鍵テーブルのキーナンバと従音量との関係は予め決められた関係（例えば、全ての従音量を「０」（基準音量）とするなど）にするようにしてもよい。
【００７６】
また、基音ＯＳＣ鍵テーブルにおけるキーナンバと従音量との関係を設定した場合に、２倍音ＯＳＣ鍵テーブル、３倍音ＯＳＣ鍵テーブル、および４倍音ＯＳＣ鍵テーブルにおけるキーナンバと従音量との関係も、正弦波信号の周波数との関係で連動して設定されるようにしてもよい。例えば、基音ＯＳＣ鍵テーブルにおいて、キーナンバ「Ａ３」に対応する従音量を設定した場合には、２倍音ＯＳＣ鍵テーブルにおいては、キーナンバ「Ａ３」の基音の周波数に近いキーナンバ「Ａ２」に対応する従音量を連動して設定するようにすればよい。同様にして、３倍音ＯＳＣ鍵テーブルにおいてはキーナンバ「Ａ１」に対応する従音量、４倍音ＯＳＣ鍵テーブルにおいてはキーナンバ「Ａ０」に対応する従音量について、連動して設定されるようにすればよい。この場合には、２倍音ＯＳＣ鍵テーブル、３倍音ＯＳＣ鍵テーブル、および４倍音ＯＳＣ鍵テーブルにおける従音量が基音ＯＳＣ鍵テーブルに設定された従音量と同じ値に設定される場合に限らず、予め決められた連動関係（例えば比率など）に応じて、従音量が設定されるようにすればよい。
【００７７】
［変形例５］
上述した実施形態において、設定部２００は、音響効果の設定内容については、タッチパネル６０において設定画面として表示していたが、鍵２を用いて設定内容が表されるようにしてもよい。例えば、キーナンバに対応した主音量に応じて鍵２を駆動して、鍵２の位置（レスト位置からエンド位置までのいずれかの位置）を変化させればよい。
【００７８】
図１６は、本発明の変形例５における音響効果の設定時の鍵２の位置を説明する図である。図１６は、鍵２をグランドピアノ１の正面方向から見た図であり、図１１（ｂ）に示すキーナンバと主音量との関係を、鍵２の位置で表したものである。なお、図１１において、黒鍵のレスト位置は「ｂｒ」、エンド位置は「ｂｅ」として示し、白鍵のレスト位置は「ｗｒ」、エンド位置は［ｗｅ」として示している。
【００７９】
設定部２００は、ユーザの操作をタッチパネル６０により受け付けて、設定されたキーナンバと主音量との関係にしたがって、鍵駆動部３０を駆動して、鍵２の位置を変化させる。駆動態様としては、例えば、各キーナンバに対応して設定されたパラメータのうち、最大値をレスト位置、最小値をエンド位置となるようにすればよい。このときには、鍵２の駆動に伴う発音がされないように、設定部２００は、ストッパ４０を駆動してハンマ４による打弦を阻止し、また、信号出力部１３０から駆動波形信号が出力されないようにしてもよい。
なお、鍵２に限らず、別の可動部分を設定内容を表す部分として用いてもよい。例えば、ペダル３を駆動するペダル駆動部（不図示）を設け、設定部２００は、ペダルに関する設定内容に応じてペダル３の位置を変化させることにより、設定内容を表すようにしてもよい。
【００８０】
［変形例６］
上述した実施形態においては、ユーザがタッチパネル６０を操作して、付与する音響効果の設定を行っていたが、鍵２を操作して設定するようにしてもよい。この場合には、設定部２００は、鍵センサ２２からの検出信号に基づいて鍵２の深さ（レスト位置からの移動量）を特定し、操作された鍵２に対応するキーナンバに対応したパラメータを、深さに応じた値に設定すればよい。どのタイミングにおける鍵２の深さを特定するかについては、例えば、ユーザによる操作パネル１３の操作のタイミング、ペダル３を踏み込んだタイミング、鍵２の操作後一定時間経過したタイミングなど、予め決められたタイミングとすればよい。
【００８１】
また、ユーザは、鍵２を操作することによりキーナンバを指定し、ペダル３の踏込量に応じてそのキーナンバに対応するパラメータの値を設定するようにしてもよい。この場合には、設定部２００は、鍵センサ２２からの検出信号に基づいて操作された鍵２を特定し、ペダルセンサ２３からの検出信号に基づいてペダル３の踏込量を特定する。そして、設定部２００は、操作された鍵２に対応するキーナンバに対応したパラメータを、ペダル３の踏込量に応じた値に設定すればよい。どのタイミングにおけるペダル３の踏込量を特定するかについては、例えば、ユーザによる操作パネル１３の操作のタイミング、操作した鍵２の位置をレスト位置に戻したタイミング、ペダル３の操作後一定時間経過したタイミングなど、予め決められたタイミングとすればよい。
【００８２】
［変形例７］
上述した実施形態においては、音響効果付与装置１００をグランドピアノに用いた例を説明したが、アップライトピアノに用いてもよい。
【００８３】
図１７は、本発明の変形例５におけるアップライトピアノ１Ｄの内部構造を示す図である。図１７において、アップライトピアノ１Ｄの各構成には、実施形態におけるグランドピアノ１の各構成と対応する符号に「Ｄ」を加えた符号を付している。アップライトピアノ１Ａの場合においても、振動部５０Ｄは、支柱９Ｄに接続された支持部５５Ｄに支持され、響板７Ｄに接続されている。また、実施形態と同様に、振動部５０Ｄは、響板７Ｄのうち、響棒７５Ｄの間に接続されている。そのため、この例においても、実施形態と同様に、打弦に応じて生成される駆動波形信号は、振動部５０Ｄの振動により響板７Ｄ、駒６Ｄを介して、弦５Ｄに伝達される。
このように、音響効果付与装置１００については、グランドピアノ、アップライトピアノなどのアコースティックピアノにおいて用いることができる。
【００８４】
［変形例８］
上述した実施形態においては、駆動波形信号を弦５に伝達する信号伝達部１４０は、振動部５０、響板７および駒６により構成していたが、別の態様で構成してもよい。例えば、振動部５０を駒６に取り付け、駒６を振動させて弦５に駆動波形信号を伝達してもよい。この場合には、信号伝達部１４０は、振動部５０と駒６により構成されることになる。
また、駆動波形信号が直接弦５に伝達されるようにしてもよい。この場合には、以下の構成にすればよい。
【００８５】
図１８は、本発明の変形例６におけるグランドピアノ１Ｅの内部構造を説明する図である。この例における信号伝達部１４０は、駆動マグネット５０Ｅにより構成される。駆動マグネット５０Ｅは、電磁石であり、信号出力部１３０から入力される駆動波形信号が示す波形に応じた強度の磁力を発生させる。この磁力の発生により弦５には、駆動波形信号が示す波形での振動が励起され、駆動波形信号が伝達される。この駆動マグネット５０Ｅは、各鍵２に対応する全ての弦５について磁力を及ぼすように設けられていればよい。なお、各弦５に対応して駆動マグネット５０Ｅを設けることにより、弦５毎に振動を励起する構成としてもよい。この場合には、信号出力部１３０は、キーナンバに対応した弦５に振動を励起する駆動マグネット５０Ｅに駆動波形信号を出力すればよい。
【００８６】
［変形例９］
上述した実施形態においては、記憶部１２には設定情報が複数種類記憶されていたが、１種類の設定情報のみが記憶されていてもよい。この場合には、記憶部１２に記憶された設定情報を信号出力部１３０において用いればよいから、特定部１１０は不要である。
【００８７】
［変形例１０］
上述した実施形態において、記憶部１２に記憶されている複数種類の設定情報は、音律が対応付けられていてもよい。例えば、平均律用の設定情報、純正律用の設定情報として記憶されていればよい。純正律用の設定情報については、基本音毎に存在するようにすればよい。このようにすれば、ユーザは、ピアノを調律した場合には、調律後の音律に対応する設定情報を選択するようにすればよい。
【００８８】
［変形例１１］
上述した実施形態においては、正弦波発生部１３２は、基音ＯＳＣ、２倍音ＯＳＣ、３倍音ＯＳＣおよび４倍音ＯＳＣを有していたが、より多くのＯＳＣを有していていてもよいし、より少ないＯＳＣを有していてもよい。すなわち、正弦波発生部１３２は、ｎ倍音ＯＳＣ（ｎは１以上の整数）を有する構成であればよい。また、基音ＯＳＣのみであってもよい。基音ＯＳＣのみの場合には、駆動波形信号は弦５の基本周波数の正弦波信号となるが、駆動波形信号が伝達された弦５は、基本周波数の振動成分のみが増加するのではなく、駆動波形信号のエネルギにより倍音成分についても増加する。
【００８９】
［変形例１２］
上述した実施形態においては、動作例の説明において選択された設定情報は、弦５の基本周波数の正弦波信号、およびインハーモニシティを考慮した２倍音、３倍音、４倍音の周波数の正弦波信号を発生させるものであった。設定情報は、このような態様で正弦波信号を発生させるものに限られない。これによっては、実施形態における動作例で説明した音響効果とは異なる効果が付与されることになるが、ユーザは所望の音響効果に応じて適宜設定情報を選択すればよい。以下、設定情報により発生させる正弦波信号について例示する。
【００９０】
第１の例として、基本周波数の正弦波信号は実施形態と同様であるものとし、２倍音、３倍音、４倍音の周波数の正弦波信号については、インハーモニシティを考慮せず、基本周波数の２倍、３倍、４倍の周波数としてもよい。この場合、弦５の基本周波数については一致した正弦波信号が出力され、倍音については、インハーモニシティの影響分だけ弦５と異なる周波数の正弦波信号が出力されることになる。
第２の例として、各正弦波信号の周波数を全体的に数セントシフトさせたものであってもよい。
第３の例として、基音ＯＳＣからの正弦波信号の出力をせず、２倍音ＯＳＣ、３倍音ＯＳＣおよび４倍音ＯＳＣからの正弦波信号の出力のみとしてもよい。この場合には、ハンマ４に打撃された弦５に伝達される駆動波形信号は、基本周波数の正弦波信号は含まれない。なお、２倍音ＯＳＣ、３倍音ＯＳＣおよび４倍音ＯＳＣから出力される正弦波信号の周波数については、第１の例のように、インハーモニシティを考慮しない周波数であってもよい。
【００９１】
上述した各例において示すように、弦５の基本周波数に対応して各ＯＳＣから出力される正弦波信号の周波数が決まるように設定情報が決められていれば、様々な例が適用可能である。これらの様々な設定情報を用いることで、様々な音響効果を付与することができる。
【００９２】
なお、各設定情報が規定する正弦波信号の特徴のうち、他の設定情報と異なるパラメータについては、上述したように、正弦波信号の周波数、主音量、従音量に限らず、他のパラメータであってもよい。また、実施形態における例では、設定部２００は、キーナンバと主音量との関係を設定していたが、様々なパラメータの設定が可能である。このとき、キーナンバとパラメータとの関係を設定する場合には、図１１に示す設定画面において、縦軸方向を、設定対象となるパラメータとして、タッチパネル６０に表示されるようにすればよい。このように、様々なパラメータの設定を行うことにより、様々な音響効果を付与することもできる。
【００９３】
［変形例１３］
上述した実施形態においては、複数設けられた振動部５０は、それぞれ同じ駆動波形信号により振動するように構成されていたが、異なる駆動波形信号により振動するように構成されてもよい。例えば、複数の振動部５０は、振動特性の周波数依存性が互いに異なるアクチュエータを有する構成にする。そして、信号出力部１３０は、正弦波発生部１３２から出力される正弦波信号を、その正弦波信号の周波数において効率的に振動するアクチュエータを有する振動部５０に出力するようにすればよい。
【００９４】
また、振動部５０は、弦５の並ぶ方向に沿って配置されてもよい。この場合には、信号出力部１３０は、ハンマ４に打撃された弦５に最も近い振動部５０に、その弦５に対応して出力された駆動波形信号を出力するようにすればよい。
【００９５】
［変形例１４］
上述した実施形態においては、エンベロープ調整部１３３は、基音ＯＳＣ、２倍音ＯＳＣ、３倍音ＯＳＣおよび４倍音ＯＳＣに対応した基音ＡＥＧ、２倍音ＡＥＧ、３倍音ＡＥＧおよび４倍音ＡＥＧを有し、各周波数の正弦波信号に対応してエンベロープの調整が可能であったが、各ＡＥＧが同じエンベロープの調整を行うようにしてもよい。この場合には、エンベロープ調整部１３３を用いず、合成部１３４から出力される駆動波形信号のエンベロープを調整する構成を設けてもよい。
【００９６】
［変形例１５］
上述した実施形態においては、設定情報は、テーブルの形式で正弦波信号の周波数などの各パラメータを規定していたが、キーナンバを変数とした演算式など他の形式でパラメータを規定するものであってもよい。設定部２００によってキーナンバとパラメータとの関係が設定された場合においては、例えば、図１１に示す線ＶＣをｎ次関数として近似し、その近似された関数を演算式として規定する設定情報が記憶部１２に記憶されるようにすればよい。
【００９７】
［変形例１６］
上述した実施形態においては、検出部１２０は、鍵２またはハンマ４の挙動を検出して、ハンマ４による弦５の打撃タイミングを特定していたが、別の態様により検出してもよい。例えば、検出部１２０は、ハンマ４の打撃による弦５の振動を、各弦５に対応して設けたピエゾピックアップ、マグネティックピックアップなどにより検出し、振動が検出された弦５に対応する鍵２の番号を特定し、検出されたタイミングを弦５の打撃タイミングとして特定すればよい。また、検出部１２０は、マイクロフォンなどにより弦５の振動による音を検出し、その音の周波数分布を解析することにより振動した弦５を特定し、鍵２の番号および打撃タイミングを特定してもよい。
【００９８】
［変形例１７］
上述した実施形態における各プログラムは、磁気記録媒体（磁気テープ、磁気ディスクなど）、光記録媒体（光ディスクなど）、光磁気記録媒体、半導体メモリなどのコンピュータ読み取り可能な記録媒体に記憶した状態で提供し得る。また、グランドピアノ１は、各プログラムをネットワーク経由でダウンロードしてもよい。
【符号の説明】
【００９９】
１，１Ａ，１Ｅ…グランドピアノ、１Ｄ…アップライトピアノ、２，２Ｄ…鍵、３，３Ｄ…ペダル、４，４Ｄ…ハンマ、５，５Ｄ…弦、６，６Ｄ…駒、７，７Ｄ…響板、８，８Ｄ…ダンパ、９…直支柱、９Ｄ…支柱、１０…音源装置、１１…制御部、１２…記憶部、１３…操作パネル、１４…通信部、１５…信号発生部、１６…インターフェイス、２２，２２Ｄ…鍵センサ、２３，２３Ｄ…ペダルセンサ、２４，２４Ｄ…ハンマセンサ、３０，３０Ｄ…鍵駆動部、４０，４０Ｄ…ストッパ、５０，５０Ｄ…振動部、５０Ｅ…駆動マグネット、５５，５５Ｄ…支持部、６０…タッチパネル、７５，７５Ｄ…響棒、１００，１００Ａ，１００Ｂ，１００Ｃ…音響効果付与装置、１１０…特定部、１２０…検出部、１３０…信号出力部、１３１…発音制御部、１３２…正弦波発生部、１３３…エンベロープ調整部、１３４…合成部、１４０…信号伝達部、２００，２００Ａ，２００Ｂ，２００Ｃ…設定部
【図１】
0005845752.tif 000002
【図２】
0005845752.tif 000003
【図３】
0005845752.tif 000004
【図４】
0005845752.tif 000005
【図５】
0005845752.tif 000006
【図６】
0005845752.tif 000007
【図７】
0005845752.tif 000008
【図８】
0005845752.tif 000009
【図９】
0005845752.tif 000010
【図１０】
0005845752.tif 000011
【図１１】
0005845752.tif 000012
【図１２】
0005845752.tif 000013
【図１３】
0005845752.tif 000014
【図１４】
0005845752.tif 000015
【図１５】
0005845752.tif 000016
【図１６】
0005845752.tif 000017
【図１７】
0005845752.tif 000018
【図１８】
0005845752.tif 000019